(57)【要約】【課題】本発明は摩擦ダンパーに関し、コンパクトなダンパーで、摩擦力が均一に発揮されて、安定した性能を発揮するダンパーにすることが課題である。【解決手段】金属製のスライダー１ａと、該スライダーを一定の間隙をおいて挟装するプレート１ｂ，１ｂと、該プレートの内側に装着され前記スライダーへ調整された押圧力で当該スライダーを押圧する平板状の弾性部材１ｃと、該弾性部材の片側に固設されて前記スライダーの表面に前記押圧力で当接する平板状の摺接摩擦材１ｄとからなり、前記スライダーと前記摺接摩擦材との摩擦により前記プレートと前記スライダーとを相対変位させる振動エネルギーを減衰させる摩擦ダンパー１とする。【選択図】図１
2005195137.tif 000002
【特許請求の範囲】
【請求項１】
金属製のスライダーと、該スライダーを一定の間隙をおいて挟装するプレートと、該プレートの内側に装着され前記スライダーへ調整された押圧力で当該スライダーを押圧する平板状の弾性部材と、該弾性部材の片側に固設されて前記スライダーの表面に前記押圧力で当接する平板状の摺接摩擦材とからなり、前記スライダーと前記摺接摩擦材との摩擦により前記プレートと前記スライダーとを相対変位させる振動エネルギーを減衰させること、
を特徴とする摩擦ダンパー。
【請求項２】
摺接摩擦材とスライダーとの間の摩擦係数μが、０．１≦μ≦０．２であること、
を特徴とする請求項１に記載の摩擦ダンパー。
【発明の詳細な説明】
【技術分野】
【０００１】
本発明は、例えば、比較的小さな建物や一般住宅等の建物における構造部材の間に装着されて、中小の地震、道路・強風等の振動エネルギーを減衰させて制振する、摩擦系の摩擦ダンパーに関するものである。
【背景技術】
【０００２】
従来、制振手段として、摩擦ダンパーは、摩擦摺動板とこれに当接して摺動する摩擦材と、これらを挟装し、かつ、これらの貫通するボルトとナットで皿バネを締め付けて調整される金属板とからなるものが知られている（特許文献１または特許文献２参照）。
【０００３】
【特許文献１】特開平８−１９３６３５号公報
【特許文献２】特開平１１−２６９９８４号公報
【０００４】
しかし、前記摩擦摺動板と摩擦材とを押圧する皿バネを、ボルト・ナットで締め付けているので、摩擦摺動板が振動した際に、部分的に押圧しているので均一な押圧作用が得難い場合がある。また、振動によりナットが次第にゆるみ、押圧力が減少して、確実な減衰作用が得られないという課題がある。
【発明の開示】
【発明が解決しようとする課題】
【０００５】
解決しようとする問題点は、摩擦ダンパーにおいて、均一な押圧作用が得られない点と、押圧部材の押圧力が低下するおそれがある点である。
【課題を解決するための手段】
【０００６】
本発明に係る摩擦ダンパーの上記課題を解決するための要旨は、金属製のスライダーと、該スライダーを一定の間隙をおいて挟装するプレートと、該プレートの内側に装着され前記スライダーへ調整された押圧力で当該スライダーを押圧する平板状の弾性部材と、該弾性部材の片側に固設されて前記スライダーの表面に前記押圧力で当接する平板状の摺接摩擦材とからなり、前記スライダーと前記摺接摩擦材との摩擦により前記プレートと前記スライダーとを相対変位させる振動エネルギーを減衰させることである。
また、前記摺接摩擦材とスライダーとの間の摩擦係数μが、０．１≦μ≦０．２であることを含むものである。
【発明の効果】
【０００７】
本発明の摩擦ダンパーは、平板状の弾性部材で押圧作用するので、均一な押圧作用が得られる。よって、摩擦エネルギーが安定して確実に発揮されて、所望の減衰作用が得られる。また、プレートの内側に弾性部材があるので、従来例のような構造においてナットがゆるんで押圧力が減少すると言うおそれもない等の利点がある。
【発明を実施するための最良の形態】
【０００８】
本発明に係る摩擦ダンパーにより、地震等の振動エネルギーの減衰作用が確実で、ダンパー装置の押圧力が減少することのない、安定した性能の摩擦ダンパーが得られることとなる。
図１は、本発明に係る摩擦ダンパー１の平面図，側面図であり、その構成は、金属製のスライダー１ａと、該スライダー１ａを一定の間隙をおいて挟装する２枚の金属製のプレート１ｂ，１ｂと、該プレート１ｂの内側に装着され前記スライダー１ａへ均一に調整された押圧力で当該スライダー１ａを押圧する平板状の弾性部材１ｃと、該弾性部材１ｃの片側に固設されて前記スライダー１ａの表面に前記押圧力で当接する金属製で平板状の摺接摩擦材１ｄとからなる。
【０００９】
前記プレート１ｂ，１ｂの間隔は、その間に介装され、六角穴付きボルト２で固定される金属製の間隙維持材１ｅ，１ｆ，１ｇで、所定の寸法に維持されるものである。
【００１０】
前記間隙維持材のうち、プレート端部に位置する間隙維持部材１ｅの片側には、突起部１ｊが設けられボルト挿通用の孔１ｋが穿設されている。これにより、例えば、間隙維持材１ｅを介して摩擦ダンパー１を建物等の一部に係止することができる。
【００１１】
また、前記間隙維持材１ｆ，１ｇの間には、例えば、ゴム製で平板状の前記弾性部材１ｃがスライダー１ａの摺接面に向けて複数枚積層されている。これにより、摺接摩擦材１ｄが、所定の押圧力でスライダー１ａの表面に均一に当接するようになる。この場合、摺接摩擦材１ｄとスライダー１ａとの間の摩擦係数μは、スベリ摩擦を安定させるために、０．１≦μ≦０．２程度に設定されているものである。
【００１２】
また、図２に示すように、前記摺接摩擦材１ｄ，１ｄの間には、軸受け材１ｉが設けられている。更に、プレート１ｂ，１ｂの側面には、カバー３が両側面の略全面に固定して設けられる。摩擦ダンパー１の内部の防錆のためである。
【００１３】
また、図１（Ｃ）に示すように、スライダー１ａの上下（プレート１ｂ，１ｂ間方向）には、位置規制用の金属製ブロック１ｈがボルト２で固定され設けられている。これは、振動の方向が、スライダー１ａの長手方向に直交する方向となった場合の振動規制のためである。
【００１４】
前記スライダー１ａは、鉄製若しくは鋼製でその断面が矩形状にされた棒状体であり、その長手方向の一端部には、係止用ボルト挿通孔１ｍが設けられている。
【００１５】
このように構成された摩擦ダンパー１は、図３に示すように、全体が突起物のない（わずかにボルト２の頭部程度）コンパクトにまとまった箱体である。よって、この摩擦ダンパー１の収納に便宜であり、設置場所にも特別なスペースを要求せず設計的に自由度が大きい。このダンパー１の全体の大きさは、振動エネルギーを減衰させようとする設計上の要請により、任意に決められるものである。
【００１６】
これを、例えば、柱、梁、ブレース等の構造物の部材間に、スライダー１ａの一端部と、間隙維持材１ｅとをボルト等で係止させることで連結される。そして、地震等の振動があると、図４に示すように、一実施例として、略５００ｋｇｆで滑るように設定した例における、荷重−変位の特性曲線の関係で挙動する事で、この曲線内の領域がエネルギーとして消費されることで、振動エネルギーが減衰されるものである。
【００１７】
こうして、前記摩擦ダンパー１において、スライダー１ａと、摺接摩擦材１ｄとが、平板状で積層された弾性部材１ｃによって、全体的に均一な押圧力で当接する。よって、従来例のようなボルト・ナットで締め付けて押圧力を発揮させる場合に、その軸力の中心部だけが強く押圧されて周囲の押圧力と不均一になり、いわゆる片効きするような事態が、本発明では避けられるものである。また、前記摺接摩擦材１ｄとスライダー１ａとの間の摩擦係数μが、０．１≦μ≦０．２とされていることで、摺接摩擦材１ｄをテフロン（登録商標）材等との２層構造として、安定したスベリ摩擦を得るものである。
【００１８】
この摩擦ダンパー１では、ボルト２によるねじ止めの構造なので、部品等の交換もボルト２を緩めるだけ可能となって簡単・容易である。
【図面の簡単な説明】
【００１９】
【図１】本発明に係る摩擦ダンパー１の平面図（Ａ）と、側面図（Ｂ），（Ｃ）である。
【図２】同本発明の摩擦ダンパー１で、図１（Ａ）におけるＡ−Ａ線に沿った断面図である。
【図３】同本発明に係る摩擦ダンパー１の、カバー３を取り外した状態での使用状態説明図である。
【図４】同本発明に係る摩擦ダンパー１の、荷重−変位の特性曲線を示す説明図である。
【符号の説明】
【００２０】
１          摩擦ダンパー、
１ａ        スライダー、
１ｂ        プレート、
１ｃ        弾性部材、
１ｄ        摺接摩擦材、
１ｅ，１ｆ，１ｇ  間隙維持材、
１ｈ        ブロック、
１ｉ        軸受け材、
１ｊ        突起部、
１ｋ        ボルト挿通用の孔、
１ｍ        係止用ボルト挿通孔、
２          ボルト、
３          カバー。
【図１】
2005195137.tif 000003
【図２】
2005195137.tif 000004
【図３】
2005195137.tif 000005
【図４】
2005195137.tif 000006